(57)【要約】      （修正有）【課題】聴覚装置において実行される、聴覚装置を動作させる方法を提供する。【解決手段】方法１００は、環境パラメータを取得すること１０２と、環境パラメータが１またはそれ以上の第一の基準を満たすか否かを判定すること１０４と、環境パラメータが１またはそれ以上の第一の基準を満たすことに応じて、処理コンテキストパラメータを取得すること１０６と、処理コンテキストパラメータに基づいて第一の聴覚処理スキームを選択すること１０８と、選択された第一の聴覚処理スキームを聴覚装置の入力信号に適用すること１１０を備えている。【選択図】図２Ａ
2020058022.tif 000002
【特許請求の範囲】
【請求項１】
聴覚装置において実行される、前記聴覚装置を動作させる方法であって、
環境パラメータを取得することと、
前記環境パラメータが１またはそれ以上の第一の基準を満たすか否かを判定することと、
前記環境パラメータが前記１またはそれ以上の第一の基準を満たすことに応じて、処理コンテキストパラメータを取得することと、
前記処理コンテキストパラメータに基づいて第一の聴覚処理スキームを選択することと、
選択された前記第一の聴覚処理スキームを前記聴覚装置の入力信号に適用することと、を備える方法。
【請求項２】
前記１またはそれ以上の第一の基準が、場所の基準を備えており、
前記環境パラメータが前記１またはそれ以上の第一の基準を満たすか否かを判定することが、前記環境パラメータが前記場所の基準を満たすか否かを判定することを備える、請求項１の方法。
【請求項３】
前記環境パラメータが前記場所の基準を満たすか否かを判定することが、前記環境パラメータが、聴覚処理データベース内に存在する地理的範囲に含まれる場所を示すか否かを判定することを備える、請求項２の方法。
【請求項４】
１またはそれ以上の入力信号を取得することをさらに備える、請求項１から３の何れか一項の方法。
【請求項５】
前記環境パラメータが前記１またはそれ以上の第一の基準を満たさないことに応じて、前記１またはそれ以上の入力信号の少なくとも一部を記録することをさらに備える、請求項４の方法。
【請求項６】
前記環境パラメータが前記１またはそれ以上の第一の基準を満たさないことに応じて、前記１またはそれ以上の入力信号の少なくとも一部および／または前記１またはそれ以上の入力信号の少なくとも一部を特徴付ける１またはそれ以上のパラメータを記憶することをさらに備える、請求項４または５の方法。
【請求項７】
前記環境パラメータが前記１またはそれ以上の第一の基準を満たさないことに応じて、前記１またはそれ以上の入力信号の少なくとも一部に基づいて雑音パラメータを決定することと、前記雑音パラメータに基づいて第二の聴覚処理スキームを選択することと、入力信号に前記第二の聴覚処理スキームを適用することをさらに備える、請求項４から６の何れか一項の方法。
【請求項８】
前記第一の聴覚処理スキームが、雑音除去スキーム、および／または入力信号優先順位付けスキームを備える、請求項１から７の何れか一項の方法。
【請求項９】
前記環境パラメータを取得することが、入力信号を取得することと、前記入力信号に基づいて前記環境パラメータを決定することを備える、請求項１から８の何れか一項の方法。
【請求項１０】
前記環境パラメータに基づいて前記１またはそれ以上の入力信号を分類することをさらに備える、請求項１から９の何れか一項の方法。
【請求項１１】
前記環境パラメータが、場所パラメータおよび／または環境タイプパラメータを備える、請求項１から１０の何れか一項の方法。
【請求項１２】
前記処理コンテキストパラメータが、雑音除去スキーム識別子、および／または優先順位付けスキーム識別子、および／または前記聴覚装置によって出力されるべき１またはそれ以上の出力信号を示す１またはそれ以上の出力信号インジケータを備える、請求項１から１１の何れか一項の方法。
【請求項１３】
メモリと、
インタフェースと、
聴力損失を補償するように構成されたプロセッサと、
レシーバと、
１またはそれ以上のマイクロフォンを備える聴覚装置であって、
請求項１から１２の何れか一項の方法を実行するように構成された、聴覚装置。
【発明の詳細な説明】
【技術分野】
【０００１】
本開示は、環境に基づいて聴覚装置処理を動作させる方法および関連する聴覚装置に関する。
【背景技術】
【０００２】
聴覚装置を取り巻く音響状態は、しばしば、時間および空間において変化し得る種々の音源によって影響される。音源の例としては、例えば、より長い時間にわたって存在し、特定の場所に固有で、１日のうちの特定の時間に頻繁に存在する、雑音源が挙げられる。音源の例には、１またはそれ以上の個人のための音声源、および／または、１またはそれ以上の装置からの音源が含まれる。
【発明の概要】
【発明が解決しようとする課題】
【０００３】
したがって、どの音源が望ましく、どの音源が望ましくないかを考慮して、環境に存在する条件に聴覚装置処理を適応させることができる、聴覚装置を動作させる方法および関連する聴覚装置が必要とされている。
【課題を解決するための手段】
【０００４】
本開示は、聴覚装置において実行される、聴覚装置を動作させる方法を提供する。この方法は、環境パラメータを取得することと、環境パラメータが１またはそれ以上の第一の基準を満たすか否かを判定することと、環境パラメータが１またはそれ以上の第一の基準を満たすことに応じて、処理コンテキストパラメータを取得することと、処理コンテキストパラメータに基づいて第一の聴覚処理スキームを選択することと、選択された第一の聴覚処理スキームを聴覚装置の入力信号に適用することを備えている。
【０００５】
開示される聴覚装置は、メモリと、インタフェースと、聴力損失を補償するように構成されたプロセッサと、レシーバと、１またはそれ以上のマイクロフォンとを備えている。聴覚装置は、本明細書に開示される任意の方法を実行するように構成される。
【０００６】
本開示は、１またはそれ以上のユーザによって収集され得る環境情報を利用することによって、聴覚処理の最適化を可能にする方法および聴覚装置を提供する。任意の聴覚装置のユーザにとって、所定の環境、例えば場所および／または時間について予め記録された雑音に対して以前に適用された能動的雑音除去に一足飛びに進むように、本開示に従って聴覚装置を制御することができることは有利である。本開示は、特定の選択された人物の音声を、例えば音響環境における他の音を越えて増幅することによって、ターゲットとする人物からの音声信号に優先順位を付ける、および／または、例えば、重要な情報（例えば火災報知器、ガス警報器等の危険）に関連するか、または動作（例えば、ドアベルが鳴る、郵便が届く等）に関連する事象を示すように、特定の場所または場所タイプにおける音声信号に優先順位を付けるのに特に有利である。
【０００７】
本発明の上記および他の特徴および利点は、添付の図面を参照して、例示的な実施形態の以下の詳細な説明により、当業者に容易に明らかとなるであろう。
【図面の簡単な説明】
【０００８】
【図１】例示的な聴覚装置を概略的に示す図である。
【図２Ａ】本開示の例示的な方法を概略的に示す図である。
【図２Ｂ】本開示の例示的な方法を概略的に示す図である。
【発明を実施するための形態】
【０００９】
種々の例示的な実施形態および詳細を、関連する場合には図面を参照して以下に説明する。図面は、縮尺通りに描かれていることもあれば、描かれていないこともあり、同様の構造または機能の要素は、図面全体を通して同様の参照番号によって表されることに留意されたい。図面は、実施形態の説明を容易にすることのみを意図していることにも留意されたい。これらは、本発明の包括的な説明または本発明の範囲の限定として意図されない。さらに、例示された実施形態は、示された全ての態様または利点を有する必要はない。特定の実施形態に関連して説明される態様または利点は、必ずしもその実施形態に限定されるものではなく、そのように図示されていなくても、またはそのように明示的に説明されていなくても、任意の他の実施形態において実施することができる。
【００１０】
聴覚装置の性能は、しばしば、聴覚の近傍の環境、例えば、時間および空間において変化し得る様々な音源に依存する。音源の例としては、例えば、より長い時間にわたって存在し、特定の場所に固有で、１日のうちの特定の時間に頻繁に存在する、雑音源が挙げられる。音源の例には、１またはそれ以上の個人のための音声源、１またはそれ以上の装置からの音源が含まれる。いくつかの音源は望ましくないと考えられ、他の音源は所望の音源と考えられる。音源は、ある時点では望ましいと考えられ、別の時点では望ましくないと考えられ得る。
【００１１】
例えば、オフィス環境では、音源にプリンタや他の同僚のキーボードが含まれ得る。例えば、自宅では食器洗い機が雑音を出しており、職場への移動や歩行においては交通雑音に煩わされ、職場では同僚のキーボードのクリックが望ましくないことがある。
【００１２】
任意の聴覚装置のユーザにとって、所定の環境、例えば場所および／または時間について予め記録された信号に以前に適用された能動的雑音除去に一足飛びに進むように、本開示に従って聴覚装置を制御することができることは有利である。
【００１３】
例えば、聴覚障害を持った子供が発話を発達させるには、毎日少なくとも３００００語を聞く必要がある。両親、兄弟姉妹、および重要な介護者の何れかの音声を聞くことは、子供の発話の発達において特に重要であることが明らかにされている。本開示は、音声（すなわち音声信号）の優先順位付けを可能にする方法および聴覚装置を提供し、この方法および聴覚装置は、両親、兄弟姉妹および重要な介護者からの音声信号の優先順位付けに特に有利であり、それによって、聴覚障害を持った子供の発話の発達が改善される。
【００１４】
任意の聴覚装置のユーザが、特定の場所または場所タイプにおいて、例えば音響環境における他の音を超えて増幅することによって、特定の選択された人の音声を優先するように、本開示に従って聴覚装置を制御することができることは有利である。 
【００１５】
任意の聴覚装置のユーザが、特定の場所または場所タイプにおいて、例えば、重要な情報（火災報知器、ガス警報器等の危険）に関連する、または動作（例えば、ドアベルが鳴る、郵便が届く等）に関連する、場所または場所タイプに特有であり得る事象を示す信号を優先順位付けするように、本開示に従って聴覚装置を制御することができることが有利であり得る。任意の補聴器のユーザにとって、このような音響信号を大きくかつ明瞭に聞くことができることは有利である。
【００１６】
本開示は、聴覚装置において実行される、聴覚装置を動作させる方法を提供する。この方法は、環境パラメータを取得することと、環境パラメータが１またはそれ以上の第一の基準を満たすか否かを判定することと、環境パラメータが１またはそれ以上の第一の基準を満たすことに応じて、処理コンテキストパラメータを取得することと、処理コンテキストパラメータに基づいて第一の聴覚処理スキームを選択することと、選択された第一の聴覚処理スキームを聴覚装置の入力信号に適用することを備えている。
【００１７】
本明細書において、処理コンテキストパラメータとは、聴覚装置が動作している環境のコンテキストを示すパラメータであり、例えば、適切に雑音を軽減し、適切に圧縮し、および／または入力信号に適切に優先順位を付けるように、環境内で（好ましくは）使用される処理スキームを示す。
【００１８】
上記の方法は、例えば付属装置から環境パラメータを取得することを備える。環境パラメータは、場所パラメータおよび／または環境タイプパラメータを備えてもよい。場所パラメータは、聴覚装置の場所を示してもよい。環境タイプパラメータは、環境タイプまたは場所タイプを示すことができる。環境タイプまたは場所タイプは、屋内場所タイプ、屋外場所タイプ、鉄道駅タイプ、空港タイプ、コンサートホールタイプ、学校タイプ、教室タイプ、車両タイプ（例えば、聴覚装置が、移動中の列車、自動車、自転車などの車両に位置しているか否かを示す）のうちの、１またはそれ以上を示してもよい。
【００１９】
環境パラメータを取得することは、無線入力信号を受信することと、無線入力信号に基づいて環境パラメータを決定することとを備えてもよい。例えば、無線ローカルエリアネットワークから無線入力信号を受信することは、場所パラメータ（例えば、自宅、オフィス、学校、レストランなどの場所）、または環境タイプパラメータ（例えば、屋内場所タイプ、空港タイプ、コンサートホールタイプ、学校タイプ、教室タイプ）を示してもよい。例えば、無線ナビゲーションネットワーク（例えばＧＰＳ）からの無線位置特定入力信号を受信することは、場所パラメータ（例えば、自宅、オフィス、学校、レストランや、例えば場所情報（例えば地理的座標））、または環境タイプパラメータ（例えば、屋内場所タイプ、空港タイプ、コンサートホールタイプ、学校タイプ、教室タイプ、車両タイプ）を示してもよい。例えば、近距離無線システム（例えばＢｌｕｅｔｏｏｔｈ（登録商標））からの無線入力信号を受信することは、場所パラメータ（例えば、自宅、オフィス、学校などの場所）、または環境タイプパラメータ（例えば、屋内場所タイプ、車両タイプ（例えば、車両が近距離無線入力信号を送信する場合））を示してもよい。
【００２０】
１またはそれ以上の例示的な方法では、付属装置は、無線入力信号（例えば、位置パラメータ（例えば、自宅、オフィス、学校、レストランなどの場所）または環境タイプパラメータ（例えば、屋内場所タイプ、空港タイプ、コンサートホールタイプ、学校タイプ、教室タイプ）を示す無線ローカルエリアネットワークからの無線入力信号；場所パラメータ（例えば、自宅、オフィス、学校、レストランや、例えば場所情報（例えば地理的座標））または環境タイプパラメータ（例えば、屋内場所タイプ、空港タイプ、コンサートホールタイプ、学校タイプ、教室タイプ、車両タイプ）を示す無線ナビゲーションネットワーク（例えばＧＰＳ）からの無線位置特定入力信号；場所パラメータ（例えば、自宅、オフィス、学校などの場所）または環境タイプパラメータ（例えば、屋内場所タイプ、車両タイプ（例えば、車両が近距離無線入力信号を送信する場合））を示す近距離無線システム（例えばＢｌｕｅｔｏｏｔｈ）からの無線入力信号）を受信し、無線入力信号に基づいて環境パラメータを決定し、決定した環境パラメータを聴覚装置に提供する（例えば送信する）ように構成されている。
【００２１】
１またはそれ以上の第一の基準は、場所の基準を備えてもよい。環境パラメータが１またはそれ以上の第一の基準を満たすか否かを判断することは、環境パラメータが場所の基準を満たすか否かを判断することを備えてもよい。
【００２２】
環境パラメータが場所の基準を満たすか否かを判断することは、環境パラメータが聴覚処理データベース内に存在する地理的領域に含まれる場所を示すか否かを判断することを備えてもよい。
【００２３】
聴覚処理データベースは、聴覚処理スキーム識別子のセット、音響信号（例えば、聴覚装置のレシーバによって提供される出力信号）の１またはそれ以上のセット、対応するタイムスタンプ、のうちの１またはそれ以上を含むデータベースを意味してもよい。聴覚処理データベースは、例えば聴覚処理マップといった、例えば聴覚処理コレクションといった、聴覚処理ライブラリを含むことが考えられる。聴覚処理データベースは、聴覚装置メモリのメモリユニット、聴覚装置に結合された付属装置、または聴覚装置および／または付属装置からの要求に応じて処理コンテキストパラメータを検索可能な遠隔記憶手段のうちの１またはそれ以上に記憶されてもよい。
【００２４】
環境パラメータが、聴覚処理データベース内に存在する地理的領域内に含まれる場所を示すか否かを判定することは、環境パラメータを含む要求を遠隔に配置された聴覚処理データベースに送信することと、環境パラメータが聴覚処理データベース内に存在する地理的領域内に含まれる場所を示すか否かに関する指標と、環境パラメータが聴覚処理データベース内に存在する地理的領域内に含まれる場所を示す場合には、オプションとして処理コンテキストパラメータを含む応答を受信することを備えてもよい。
【００２５】
１またはそれ以上の第一の基準は、時間の基準を備えてもよい。時間の基準は、期間を備えてもよい。環境パラメータが１またはそれ以上の第一の基準を満たすか否かを判定することは、環境パラメータが時間の基準の期間内に作成および／または更新された場所を示すか否かを判定することによって、環境パラメータが時間の基準を満たすか否かを判定することを備えてもよい。環境パラメータが、時間の基準の期間を超えて作成および／または更新された場所を示しているとの判定に応じて、環境パラメータが時間の基準を満たしておらず、それによって１またはそれ以上の第一の基準を満たしていないと判定される。
【００２６】
上記の方法は、例えば、聴覚装置の１またはそれ以上のマイクロフォンを介して、および／または聴覚装置のインタフェースを介して（例えば、聴覚装置の無線インタフェースを介して）、１またはそれ以上の入力信号を取得することを備えてもよい。入力信号は、マイクロフォン入力信号および／または無線入力信号（例えば、無線ストリーミング信号）を備えてもよい。１またはそれ以上の入力信号を取得することは、（例えば、１またはそれ以上のマイクロフォンを介して）音響環境から、またはインタフェースを介して聴覚装置と通信するように構成された外部装置から、１またはそれ以上の入力信号を取得することを備えてもよい。
【００２７】
上記の方法は、環境パラメータが１またはそれ以上の第一の基準を満たさないことに応じて、１またはそれ以上の入力信号の少なくとも一部を記録することを備えてもよい。上記の方法は、例えば、環境パラメータが場所の基準および／または時間の基準を満たさないことに応じて、１またはそれ以上の入力信号の少なくとも一部、例えば、聴覚装置の１またはそれ以上のマイクロフォンを介して取得された１またはそれ以上の入力信号の少なくとも一部を記録することを備えてもよい。１またはそれ以上の入力信号の少なくとも一部を記録することは、１またはそれ以上の入力信号の少なくとも一部を例えばメモリに記憶することを備えてもよい。上記の方法は、環境パラメータが１またはそれ以上の第一の基準を満たさないことに応じて、１またはそれ以上の入力信号の少なくとも一部を記録することと、オプションとして、聴覚処理データベースに報告することを備えてもよい。
【００２８】
上記の方法は、環境パラメータが１またはそれ以上の第一の基準を満たさないことに応じて、１またはそれ以上の入力信号の少なくとも一部および／または１またはそれ以上の入力信号の少なくとも一部を特徴付ける１またはそれ以上のパラメータを記憶することを備えてもよい。上記の方法は、環境パラメータが１またはそれ以上の第一の基準を満たさないことに応じて、１またはそれ以上の入力信号の少なくとも一部を特徴付ける１またはそれ以上のパラメータを生成することと、１またはそれ以上のパラメータを、例えば、聴覚装置のメモリユニットに、および／または聴覚装置と結合する付属装置に関連する遠隔記憶手段に記憶することを備えてもよい。１またはそれ以上のパラメータは、周波数領域における１またはそれ以上の入力信号の少なくとも一部を時間領域において特徴付ける１またはそれ以上の特徴を備えてもよい。１またはそれ以上の特徴は、周波数、周波数システム、振幅、位相、および／または変調を備えてもよい。１またはそれ以上のパラメータは、１またはそれ以上の入力信号の少なくとも一部の任意の１またはそれ以上の信号の圧縮バージョンを備えてもよい。
【００２９】
上記の方法は、環境パラメータが１またはそれ以上の第一の基準の少なくとも１つを満たさないことに応じて、１またはそれ以上の入力信号の少なくとも一部に基づいて雑音パラメータを決定することと、雑音パラメータに基づいて第二の聴覚処理スキームを選択することと、入力信号に第二の聴覚処理スキームを適用することを備えてもよい。雑音パラメータは、信号対雑音比、信号対干渉雑音比、雑音スペクトル、および／または周波数スペクトルにわたる雑音分布を備えてもよい。第二の聴覚処理スキームは、第一の聴覚処理スキームと異なっていてもよい。
【００３０】
環境パラメータが１またはそれ以上の第一の基準のうちの少なくとも１つを満たさないことは、環境パラメータが場所の基準および／または時間の基準を満たさないことを備えてもよい。例えば、上記の方法は、環境パラメータが場所の基準および／または時間の基準を満たさないことに応じて、１またはそれ以上の入力信号の少なくとも一部に基づいて雑音パラメータを決定することと、雑音パラメータに基づいて第二の聴覚処理スキームを選択することと、入力信号に第二の聴覚処理スキームを適用することを備えてもよい。
【００３１】
第一の聴覚処理スキームは、雑音除去スキームおよび／または入力信号優先順位付けスキームを備えてもよい。雑音除去スキームは、入力信号の雑音成分を軽減および／または除去するために入力信号に適用され、聴覚装置のレシーバが放射する出力信号を提供するように構成された処理スキームを意味してもよい。入力信号優先順位付けスキームは、放射のための聴覚装置のレシーバへの入力信号の提供を優先するか否かを決定するために、入力信号に適用されるように構成された処理スキームを意味してもよい。入力信号優先順位付けスキームは、ビーム形成スキーム、増幅、および／または圧縮スキームを備えてもよい。入力信号優先順位付けスキームは、聴覚装置がどの信号を優先的に出力すべきかを優先順位付けするように構成された、出力信号の優先順位付けを備えてもよい。
【００３２】
入力信号優先順位付けスキームは、聴覚装置によって得られた１またはそれ以上の入力信号に基づいて音声を識別し、識別された音声を特定の人に関連付けるように構成してもよい。例えば、学生の聴覚装置は、本開示による学校環境を特徴付ける処理コンテキストパラメータを使用して得られる入力優先順位付けスキームに従って、教師の音声を識別し、その音声を優先順位付けすることができる。例えば、子供の聴覚装置は、本開示による家庭環境を特徴付ける処理コンテキストパラメータを使用して得られる入力優先順位付けスキームに従って、親の音声を識別し、その音声を優先順位付けすることができる。
【００３３】
入力信号優先順位付けスキームは、ブラインド音源分離スキームを適用することによって、聴覚装置によって取得された１またはそれ以上の入力信号に基づいて音声を識別するように構成することができる。
【００３４】
開示された技術が適用され、Ｎ個の音源が聴覚装置のＭ個のマイクロフォンに混合された例では、聴覚処理（例えば混合処理）は線形であり、線形の聴覚処理の係数は未知（「ブラインド」部分とも呼ばれる）であると仮定される。聴覚装置の１またはそれ以上のマイクロフォンを介して取得される、ベクトルｘで表現された入力信号は、例えば次式で表すことができる。
ｘ＝Ａ＊ｓ＋ｎ    （１）
ここで、ｓは音源のベクトルを表し、ｎは雑音の観測値を表す。Ａ，Ｓおよびｎは、未知の変数を表す。
【００３５】
ブラインド音源分離スキームを適用することは、この例では、線形の非混合スキームを、１またはそれ以上の音源から受信された入力信号に適用することを備えており、以下の音源ベクトルの推定値ｓ＾を、例えば次式によって取得することができる。
ｓ＾＝Ｗ＊ｘ＝ｓ＋Ｗ＊ｎ    （２）
ここで、Ｗは非混合行列を表す。
【００３６】
線形の非混合スキームを適用することは、例えば未知の変数ｓに、以下の１またはそれ以上の仮定を適用することによって、非混合行列Ｗを推定することを備えてもよい。
音源（または音源から取得される入力信号を表すランダム変数）は無相関であると仮定される。および／または、
音源（または音源から取得される入力信号を表すランダム変数）は統計的に独立であり、独立成分分析が適用可能であると仮定される。および／または、
音源（または音源から取得される入力信号を表すランダム変数）は非定常であると仮定される。
【００３７】
また、音源（または音源から取得される入力信号を表すランダム変数）は独立しており、均等に分布していると仮定してもよい。
【００３８】
音源（または音源から取得される入力信号を表すランダム変数）が非相関かつ非定常であると仮定される場合、非混合行列Ｗの推定は、ＰａｒａおよびＳｐｅｎｃｅによって公表された非定常音源の畳み込みブラインド音源分離のような、畳み込みブラインド音源分離スキームを適用することによって、実行されてもよい。
【００３９】
入力信号は、音声成分と雑音成分とを備えていてもよい。非混合行列Ｗの推定は、音声特性に関する仮定（例えば音声信号の分布）、および／または雑音に関する仮定（例えば雑音の分布）に基づいてもよい。
【００４０】
雑音の分布は、独立で、均等に分布していると仮定してもよい。雑音の分布は、非負の行列分解により取得される雑音依存辞書に基づくと仮定してもよい。
【００４１】
音声の分布は、独立で、均等に分布していると仮定してもよい。音声の分布は、非負の行列分解により取得される雑音依存辞書に基づくと仮定してもよい。
【００４２】
第一の聴覚処理スキームは、処理コンテキストパラメータに基づいて選択された雑音除去スキーム、および／または処理コンテキストパラメータに基づいて選択された入力信号優先順位付けスキームを備えてもよい。
【００４３】
第一の聴覚処理スキームは、（聴覚処理を聴覚装置の環境に適応させるために）環境パラメータに基づいて調整またはカスタマイズされた雑音除去スキーム、および／または（聴覚処理を聴覚装置の環境に適応させるために）環境パラメータに基づいて調整またはカスタマイズされた処理コンテキストパラメータに基づいて選択された入力信号優先順位付けスキームを備えてもよい。
【００４４】
環境パラメータを取得することは、入力信号を取得することと、入力信号に基づいて環境パラメータを決定することを備えてもよい。例えば、入力信号は、環境を示す無線通信信号、例えば、環境（オフィス、レストラン、駅、学校、ホテル、ホテルロビー等）を示すＷＬＡＮ信号、および／または（例えば、屋外または屋内環境を示す）音声信号を備えてもよい。
【００４５】
上記の方法は、環境パラメータに基づいて１またはそれ以上の入力信号を分類することを備えてもよい。
【００４６】
上記の方法は、環境パラメータが１またはそれ以上の第一の基準を満たすことに応じて、処理コンテキストパラメータを取得することと、処理コンテキストパラメータに基づいて第一の聴覚処理スキームを選択することを備えている。処理コンテキストパラメータは、適用されるべき聴覚処理スキームを示すような、聴覚装置によって使用される聴覚処理コンテキストを示すパラメータを意味してもよい。処理コンテキストパラメータは、環境パラメータに対する音源の望ましさの観点で、ユーザの好みを反映してもよい。処理コンテキストパラメータを取得することは、環境パラメータに基づいて、例えば、聴覚装置のメモリユニットから、聴覚装置とペアリングされた付属装置から、聴覚装置に接続するように構成されたサーバから、処理コンテキストパラメータを受信および／または検索することを備えてもよい。
【００４７】
処理コンテキストパラメータは、雑音除去スキーム識別子、および／または優先順位付けスキーム識別子、および／または聴覚装置によって出力されるべき１またはそれ以上の出力信号を示す１またはそれ以上の出力信号インジケータを備えてもよい。雑音除去スキーム識別子は、雑音除去スキームを一意に識別する識別子を意味してもよい。優先順位付けスキーム識別子は、優先順位付けスキームを一意に識別する識別子を意味してもよい。１またはそれ以上の出力インジケータは、例えばレシーバによって、聴覚装置によって出力される１またはそれ以上の出力信号（例えば、警報音、アラーム音、ストリームされた信号）を示す。
【００４８】
聴覚装置が開示される。聴覚装置は、プロセッサが、ユーザの聴力損失を補償するように構成された、ヒアラブルまたは補聴器であってもよい。
【００４９】
聴覚装置は、耳かけ型（ＢＴＥ）、耳あな型（ＩＴＥ）、カナル型（ＩＴＣ）、カナル内レシーバ型（ＲＩＣ）、耳内レシーバ型（ＲＩＴＥ）であってもよい。補聴器は、バイノーラル補聴器であってもよい。聴覚装置は、本明細書に開示されるようなイヤピースである、第一のイヤピースおよび第二のイヤピースを備えていてもよい。
【００５０】
聴覚装置は、メモリと、インタフェースと、聴力損失を補償するように構成されたプロセッサと、レシーバと、１またはそれ以上のマイクロフォンとを備える。聴覚装置は、本明細書に開示される任意の方法を実行するように構成される。プロセッサは、本明細書に開示される任意の方法を実行するように構成される。
【００５１】
聴覚装置は、１またはそれ以上の無線入力信号、例えば、第一の無線入力信号および／または第二の無線入力信号をアンテナ出力信号に変換するためのアンテナを備える。無線入力信号は、例えば、スパウスマイクロフォン装置、無線ＴＶオーディオ送信機、聴覚装置に結合された付属装置、および／または無線送信機に関連付けられた分散型マイクロフォンアレイなどの外部信号源に由来する。
【００５２】
聴覚装置は、アンテナ出力信号を送受信機入力信号に変換するために、アンテナに結合された無線送受信機を備える。異なる外部信号源からの無線信号は、無線送受信機内で送受信機入力信号に多重化されてもよく、または無線送受信機の別々の送受信機出力端子上に別々の送受信機入力信号として提供されてもよい。聴覚装置は、複数のアンテナを含んでもよく、および／またはアンテナは、１またはそれ以上のアンテナモードで動作するように構成されてもよい。送受信機入力信号は、第一の外部信号源からの第一の無線信号を表す第一の送受信機入力信号を備える。
【００５３】
聴覚装置は、マイクロフォンのセットを備える。マイクロフォンのセットは、１またはそれ以上のマイクロフォンを備えてもよい。マイクロフォンのセットは、第一のマイクロフォン入力信号を提供するための第一のマイクロフォン、および／または第二のマイクロフォン入力信号を提供するための第二のマイクロフォンを備える。マイクロフォンのセットは、Ｎ個のマイクロフォン信号を提供するためのＮ個のマイクロフォンを備えてもよく、ここでＮは１から１０の範囲の整数である。１またはそれ以上の例示的な聴覚装置において、マイクロフォンの数Ｎは、２，３，４，５またはそれ以上である。マイクロフォンのセットは、第三のマイクロフォン入力信号を提供するための第三のマイクロフォンを備えてもよい。
【００５４】
聴覚装置は、入力信号、例えば単一の入力信号、例えばマイクロフォン入力信号、例えば前処理された入力信号、例えば無線入力信号を処理するプロセッサを備える。プロセッサは、入力信号に基づく電気出力信号をレシーバに提供する。 
【００５５】
プロセッサは、例えば、メモリユニットからおよび／またはインタフェースを介して、例えば、聴覚装置に結合された付属装置から、および／またはサーバから、環境パラメータを取得するように構成される。インタフェースは、例えば、聴覚装置に結合された付属装置から、および／またはサーバから、環境パラメータを取得するように構成されていてもよい。
【００５６】
聴覚装置は、環境パラメータが１またはそれ以上の第一の基準を満たすか否かを判定するように構成された前処理ユニットを備えてもよい。前処理ユニットは、環境パラメータが１またはそれ以上の第一の基準を満たすことに応じて、例えばメモリユニットから、および／またはサーバおよび／または付属装置に遠隔的に記憶された聴覚処理データベースから、処理コンテキストパラメータを取得するように構成されていてもよい。前処理ユニットは、プロセッサに処理コンテキストパラメータを提供するように構成されていてもよい。プロセッサは、処理コンテキストパラメータに基づいて第一の聴覚処理スキームを選択し、選択された第一の聴覚処理スキームを聴覚装置の入力信号に適用するするように構成される。
【００５７】
処理された入力信号は、プロセッサによって、ユーザの外耳道に信号を出力するように構成されたレシーバに提供されてもよい。
【００５８】
図面は、明確にするために概略的かつ簡略化されており、それらは、本発明の理解に不可欠な詳細を単に示しているに過ぎず、他の詳細は省略されている。全体を通して、同一または対応する部分には同一の参照番号が使用される。
【００５９】
図１は、本発明による例示的な聴覚装置のブロック図である。聴覚装置２は、第一の外部音源（図１には示されていない、例えば付属装置）の第一の無線入力信号５をアンテナ出力信号に変換するアンテナ４を備える。聴覚装置２は、送受信機入力信号７を提供するためにアンテナ４に結合された無線送受信機６と、それぞれ第一のマイクロフォン入力信号９および第二のマイクロフォン入力信号１１を提供するための、第一のマイクロフォン８およびオプションとして第二のマイクロフォン１０を含む、一組のマイクロフォンとを含む。
【００６０】
聴覚装置２は、無線送受信機６、第一のマイクロフォン８および第二のマイクロフォン１０に接続されており、送受信機入力信号７、第一のマイクロフォン入力信号９および第二のマイクロフォン入力信号１１を受信し、前処理する、前処理ユニット１２を、オプションとして備える。前処理ユニット１２は、入力信号７，９，１１を前処理し、前処理された入力信号をプロセッサ１４への出力として提供するように構成されている。
【００６１】
聴覚装置２は、メモリユニット１８を備えてもよい。
【００６２】
聴覚装置２は、メモリユニット１８から、および／または、インタフェース（例えば無線送受信機６）を介して、例えば、聴覚装置に結合された付属装置から、および／またはサーバから、環境パラメータを取得するように構成された、前処理ユニット１２を備えてもよい。インタフェース２０は、例えば、聴覚装置２に結合された付属装置から、および／または、サーバから、環境パラメータを取得するように構成されてもよい。
【００６３】
聴覚装置２は、環境パラメータが１または以上の第一の基準を満たすか否かを判定するように構成された前処理ユニット１２を備えてもよい。前処理ユニット１２は、環境パラメータが１またはそれ以上の第一の基準を満たすことに応じて、例えば、メモリユニット１８から、および／または、サーバおよび／または付属装置に遠隔的に記憶された聴覚処理データベースから、処理コンテキストパラメータを取得するように構成されてもよい。前処理ユニット１２は、プロセッサ１４に処理コンテキストパラメータを提供するように構成されてもよい。プロセッサ１４は、処理コンテキストパラメータに基づいて、第一の聴覚処理スキームを選択し、選択された第一の聴覚処理スキームを聴覚装置２の入力信号に適用するように構成される。
【００６４】
聴覚装置２は、１またはそれ以上の前処理された送受信機入力信号７Ａ、前処理された第一のマイクロフォン入力信号９Ａおよび前処理された第二のマイクロフォン入力信号１１Ａを含む前処理された入力信号を受信し処理するために、前処理ユニット１２に接続されたプロセッサ１４を含む。
【００６５】
レシーバ１６は、電気出力信号１５を、聴覚装置ユーザの鼓膜に向けられるオーディオ出力信号に変換する。 
【００６６】
処理された入力信号は、プロセッサ１４によって、ユーザの外耳道に信号を出力するように構成されたレシーバ１６に提供されてもよい。
【００６７】
プロセッサ１４は、ユーザの聴力損失を補償し、入力信号７Ａ，９Ａ，１１Ａに基づいて電気出力信号１５を提供するように構成される。
【００６８】
図２Ａ−図２Ｂは、本開示による聴覚装置を動作させる例示的な方法１００のフロー図である。方法１００は、聴覚装置を動作させるために、聴覚装置において実行される。
【００６９】
方法１００は、環境パラメータを、例えば、聴覚装置と接続またはペアリングするように構成された付属装置から取得すること１０２を備える。環境パラメータは、場所パラメータおよび／または環境タイプパラメータを備えてもよい。場所パラメータは、聴覚装置の位置を示してもよい。環境タイプパラメータは、環境タイプまたは場所タイプを示してもよい。環境タイプまたは場所タイプは、屋内場所タイプ、屋外場所タイプ、鉄道駅タイプ、空港タイプ、コンサートホールタイプ、学校タイプ、教室タイプ、車両タイプ（例えば、聴覚装置が、移動中の列車、自動車、自転車などの車両に位置しているか否かを示す）のうちの、１またはそれ以上を示してもよい。
【００７０】
環境パラメータを取得すること１０２は、無線入力信号を受信することと、無線入力信号に基づいて環境パラメータを決定することとを備えてもよい。例えば、無線ローカルエリアネットワークから無線入力信号を受信することは、場所パラメータ（例えば、自宅、オフィス、学校、レストランなどの場所）、または環境タイプパラメータ（例えば、屋内場所タイプ、空港タイプ、コンサートホールタイプ、学校タイプ、教室タイプ）を示してもよい。例えば、無線ナビゲーションネットワーク（例えばＧＰＳ）から無線位置特定入力信号を受信することは、場所パラメータ（例えば、自宅、オフィス、学校、レストランや、例えば場所情報（例えば地理的座標））、または環境タイプパラメータ（例えば、屋内場所タイプ、空港タイプ、コンサートホールタイプ、学校タイプ、教室タイプ、車両タイプ）を示してもよい。例えば、近距離無線システム（例えばＢｌｕｅｔｏｏｔｈ）から無線入力信号を受信することは、場所パラメータ（例えば、自宅、オフィス、学校などの場所）、または環境タイプパラメータ（例えば、屋内場所タイプ、車両タイプ（例えば、車両が近距離無線入力信号を送信する場合））を示してもよい。
【００７１】
１またはそれ以上の例示的な方法では、付属装置は、無線入力信号（例えば、場所パラメータ（例えば、自宅、オフィス、学校、レストランなどの場所）または環境タイプパラメータ（例えば、屋内場所タイプ、空港タイプ、コンサートホールタイプ、学校タイプ、教室タイプ）を示す無線ローカルエリアネットワークからの無線入力信号；場所パラメータ（例えば、自宅、オフィス、学校、レストランや、例えば場所情報（例えば地理的座標））または環境タイプパラメータ（例えば、屋内場所タイプ、空港タイプ、コンサートホールタイプ、学校タイプ、教室タイプ、車両タイプ）を示す無線ナビゲーションネットワーク（例えばＧＰＳ）からの無線位置特定入力信号；場所パラメータ（例えば、自宅、オフィス、学校などの場所）または環境タイプパラメータ（例えば、屋内場所タイプ、車両タイプ（例えば、車両が近距離無線入力信号を送信する場合））を示す近距離無線システム（例えばＢｌｕｅｔｏｏｔｈ）からの無線入力信号）を受信し、無線入力信号に基づいて環境パラメータを決定し、決定した環境パラメータを聴覚装置に提供する（例えば送信する）ように構成されている。環境パラメータを取得すること１０２は、環境パラメータを付属装置から、例えば聴覚装置へのメッセージ、例えば付属装置から聴覚装置への無線入力信号を介して、受信することを備えていてもよい。
【００７２】
方法１００は、環境パラメータが１またはそれ以上の第一の基準を満たすか否かを判定すること１０４を備える。１またはそれ以上の第一の基準は、場所の基準を含むことができる。１またはそれ以上の第一の基準は、時間の基準を含むことができる。時間の基準は、期間を含むことができる。 
【００７３】
環境パラメータが１またはそれ以上の第一の基準を満たすか否かを判定すること１０４は、環境パラメータが場所の基準を満たすか否かを判定すること１０４Ａを備えてもよい。環境パラメータが場所の基準を満たすか否かを判定すること１０４Ａは、環境パラメータが、聴覚処理データベース（例えば、環境パラメータによって分類または索引付けされる以下のデータのうちの１またはそれ以上を含むデータベース：一組の聴覚処理スキーム識別子、１またはそれ以上の組の音響信号（例えば、聴覚装置のレシーバによって提供される出力信号）、対応するタイムスタンプ、聴覚処理ライブラリ、聴覚処理コレクション、および聴覚処理マップ）内に存在する地理的領域に含まれる場所を示すか否かを判定すること１０４ＡＡを備えてもよい。聴覚処理データベースは、聴覚装置メモリのメモリユニット、聴覚装置に結合された付属装置、または聴覚装置（例えば、聴覚装置２）および／または付属装置からの要求に応じて環境パラメータに基づいて処理コンテキストパラメータを検索可能な遠隔記憶手段のうちの１またはそれ以上に記憶されてもよい。
【００７４】
環境パラメータが、聴覚処理データベース内に存在する地理的領域に含まれる場所を示すか否かを判定すること１０４ＡＡは、環境パラメータを含む要求を遠隔に配置された聴覚処理データベースに送信することと、環境パラメータが聴覚処理データベース内に存在する地理的領域内に含まれる場所を示すか否かに関する指標と、環境パラメータが聴覚処理データベース内に存在する地理的領域内に含まれる場所を示す場合には、オプションとして処理コンテキストパラメータを含む応答を受信することを備えてもよい。
【００７５】
環境パラメータが１またはそれ以上の第一の基準を満たすか否かを判定すること１０４は、環境パラメータが時間の基準を満たすか否かを判定すること１０４Ｂを備えてもよい。環境パラメータが時間の基準を満たすか否かを判定すること１０４Ｂは、環境パラメータが時間の基準の期間内に生成および／または更新された場所を示すか否かを判定することを備えてもよい。例えば、環境パラメータが、時間の基準の期間を超えて作成および／または更新された場所を示しているとの判定に応じて、環境パラメータが時間の基準を満たしておらず、それによって１またはそれ以上の第一の基準を満たしていないと判定される。
【００７６】
方法１００は、環境パラメータが１またはそれ以上の第一の基準を満たすことに応じて、処理コンテキストパラメータを取得すること１０６を備える。方法１００は、処理コンテキストパラメータに基づいて第一の聴覚処理スキームを選択すること１０８を備える。方法１００は、選択された第一の聴覚処理スキームを聴覚装置の入力信号に適用すること１１０を備える。
【００７７】
方法１００は、聴覚装置の１またはそれ以上のマイクロフォンおよび／または聴覚装置のインタフェースを介して（例えば、聴覚装置の無線インタフェースを介して）、１またはそれ以上の入力信号を取得すること１１２を備えてもよい。入力信号は、マイクロフォン入力信号および／または無線入力信号（例えば、無線ストリーミング信号）を備えてもよい。１またはそれ以上の入力信号を取得すること１１２は、音響環境から（例えば、１またはそれ以上のマイクロフォンを介して）、またはインタフェースを介して聴覚装置と通信するように構成された外部装置（例えば、スパウスマイクロフォンおよび／または付属装置（例えば、聴覚装置に結合された携帯装置））から、１またはそれ以上の入力信号を取得することを備えてもよい。
【００７８】
環境パラメータを取得すること１０２は、入力信号を取得すること１０２Ａと、例えば無線通信信号および／または音声信号に基づいて、入力信号に基づいて環境パラメータを決定することを備えてもよい。
【００７９】
方法１００は、環境パラメータが１またはそれ以上の第一の基準を満たさないことに応じて、１またはそれ以上の入力信号の少なくとも一部を記録すること１１４を備えてもよい。例えば、環境パラメータが場所の基準および／または時間の基準を満たさないことに応じて、１またはそれ以上の入力信号の少なくとも一部を記録すること１１４は、聴覚装置の１またはそれ以上のマイクロフォンを介して取得された１またはそれ以上の入力信号の少なくとも一部を記録することを備える。
【００８０】
１またはそれ以上の入力信号の少なくとも一部を記録すること１１４は、１またはそれ以上の入力信号の少なくとも一部を記憶すること１１４Ａを備えてもよい。この方法は、環境パラメータが１またはそれ以上の第一の基準を満たさないことに応じて、記録すること１１４の後に、聴覚処理データベースに報告すること１１５を備えてもよい。
【００８１】
方法１００は、環境パラメータが１またはそれ以上の第一の基準を満たさないことに応じて、１またはそれ以上の入力信号の少なくとも一部および／または１またはそれ以上の入力信号の少なくとも一部を特徴付ける１またはそれ以上のパラメータを記憶すること１１４Ａを備えてもよい。記憶すること１１４Ａは、環境パラメータが１またはそれ以上の第一の基準を満たさないことに応じて、１またはそれ以上の入力信号の少なくとも一部を特徴づける１またはそれ以上のパラメータを生成し、１またはそれ以上のパラメータを、例えば、聴覚装置のメモリユニットに、および／または聴覚装置に結合された付属装置に関連する遠隔記憶手段に記憶することを備えてもよい。１またはそれ以上のパラメータは、周波数領域における１またはそれ以上の入力信号の少なくとも一部を時間領域において特徴づける１またはそれ以上の特徴を備えてもよい。１またはそれ以上の特徴は、周波数、周波数システム、振幅、位相、および／または変調を備えてもよい。１またはそれ以上のパラメータは、１またはそれ以上の入力信号の少なくとも一部の任意の１またはそれ以上の信号の圧縮バージョンを備えてもよい。
【００８２】
方法１００は、環境パラメータが１またはそれ以上の第一の基準の少なくとも一つを満たさないことに応じて、１またはそれ以上の入力信号の少なくとも一部に基づいて雑音パラメータを決定すること１１６と、雑音パラメータに基づいて第二の聴覚処理スキームを選択すること１１８と、第二の聴覚処理スキームを入力信号に適用すること１２０を備えてもよい。１またはそれ以上の入力信号の少なくとも一部に基づいて雑音パラメータを決定すること１１６は、信号対雑音比、信号対干渉雑音比、雑音スペクトル、および／または周波数スペクトルにわたる雑音分布のうちの１またはそれ以上を決定することを備えてもよい。第二の聴覚処理スキームは、第一の聴覚処理スキームと異なっていてもよい。
【００８３】
１またはそれ以上の例示的な方法において、環境パラメータが１またはそれ以上の第一の基準のうちの少なくとも一つを満たさないことは、環境パラメータが場所の基準および／または時間の基準を満たさないことを備えてもよい。例えば、方法１００は、環境パラメータが場所の基準および／または時間の基準を満たさないことに応じて、１またはそれ以上の入力信号の少なくとも一部に基づいて雑音パラメータを決定すること１１６と、雑音パラメータに基づいて第二の聴覚処理スキームを選択すること１１８と、第二の聴覚処理スキームを入力信号に適用すること１２０を備えてもよい。
【００８４】
第一の聴覚処理スキームは、入力信号の雑音成分を軽減および／または除去するために入力信号に適用され、聴覚装置のレシーバが放射する出力信号を提供するように構成された雑音除去スキームを備えてもよい。第一の聴覚処理スキームを適用すること１１０は、雑音除去スキームを適用することを備えてもよい。
【００８５】
第一の聴覚処理スキームは、放射のための聴覚装置のレシーバへの入力信号の提供を優先するか否かを決定するために、入力信号に適用されるように構成された入力信号優先順位付けスキームを備えてもよい。入力信号優先順位付けスキームは、ビーム形成スキーム、増幅、および／または圧縮スキームを備えてもよい。第一の聴覚処理スキームを適用すること１１０は、入力信号優先順位付けスキームを備えてもよい。入力信号優先順位付けスキームは、聴覚装置によって取得された１またはそれ以上の入力信号に基づいて音声を識別し、識別された音声を特定の人物（例えば、親、家族、教師）に関連付けるように構成されてもよい。入力信号優先順位付けスキームは、ブラインド音源分離スキームを適用することによって、聴覚装置によって取得された１またはそれ以上の入力信号に基づいて音声を識別するように構成されてもよい。
【００８６】
開示された技術が適用され、Ｎ個の音源が聴覚装置のＭ個のマイクロフォンに混合された例では、聴覚処理（例えば混合処理）は線形であり、線形の聴覚処理の係数は未知（「ブラインド」部分とも呼ばれる）であると仮定される。聴覚装置の１またはそれ以上のマイクロフォンを介して取得される、ベクトルｘで表現された入力信号は、例えば次式で表すことができる。
ｘ＝Ａ＊ｓ＋ｎ    （１）
ここで、ｓは音源のベクトルを表し、ｎは雑音の観測値を表す。Ａ，Ｓおよびｎは、未知の変数を表す。第一の聴覚処理スキームを適用すること１１０は、ブラインド音源分離スキームを適用することを備えてもよい。ブラインド音源分離スキームを適用することは、この例では、線形の非混合スキームを、１またはそれ以上の音源から受信された入力信号に適用することを備えており、以下の音源ベクトルの推定値ｓ＾を、例えば次式によって取得することができる。
ｓ＾＝Ｗ＊ｘ＝ｓ＋Ｗ＊ｎ    （２）
ここで、Ｗは非混合行列を表す。線形の非混合スキームを適用することは、例えば未知の変数ｓに、以下の１またはそれ以上の仮定を適用することによって、非混合行列Ｗを推定することを備えてもよい。
音源（または音源から取得される入力信号を表すランダム変数）は無相関であると仮定される。および／または、
音源（または音源から取得される入力信号を表すランダム変数）は統計的に独立であり、独立成分分析が適用可能であると仮定される。および／または、
音源（または音源から取得される入力信号を表すランダム変数）は非定常であると仮定される。
【００８７】
また、音源（または音源から取得される入力信号を表すランダム変数）は独立しており、均等に分布していると仮定してもよい。音源（または音源から取得される入力信号を表すランダム変数）が非相関かつ非定常であると仮定される場合、非混合行列Ｗの推定は、ＰａｒａおよびＳｐｅｎｃｅによって公表された非定常音源の畳み込みブラインド音源分離のような、畳み込みブラインド音源分離スキームを適用することによって、実行されてもよい。入力信号は、音声成分と雑音成分とを備えていてもよい。非混合行列Ｗの推定は、音声特性に関する仮定（例えば音声信号の分布）、および／または雑音に関する仮定（例えば雑音の分布）に基づいてもよい。雑音の分布は、独立で、均等に分布していると仮定してもよい。雑音の分布は、非負の行列分解により取得される雑音依存辞書に基づくと仮定してもよい。音声の分布は、独立で、均等に分布していると仮定してもよい。音声の分布は、非負の行列分解により取得される雑音依存辞書に基づくと仮定してもよい。 
【００８８】
第一の聴覚処理スキームは、処理コンテキストパラメータに基づいて選択された雑音除去スキーム、および／または処理コンテキストパラメータに基づいて選択された入力信号優先順位付けスキームを備えてもよい。第一の聴覚処理スキームは、（聴覚処理を聴覚装置の環境またはコンテキストに適応させるために）環境パラメータに基づいて調整またはカスタマイズされた処理コンテキストパラメータに基づいて選択された雑音除去スキーム、および／または（聴覚処理を聴覚装置の環境またはコンテキストに適応させるために）環境パラメータに基づいて調整またはカスタマイズされた処理コンテキストパラメータに基づいて選択された入力信号優先順位付けスキームを備えてもよい。
【００８９】
方法１００は、（例えば、聴覚処理データベース内の、聴覚装置のメモリ内の、付属装置のメモリ内の）環境パラメータに基づいて、１またはそれ以上の入力信号を分類すること１２２を備えてもよい。
【００９０】
方法１００は、環境パラメータが１またはそれ以上の第一の基準を満たすことに応じて、処理コンテキストパラメータを取得すること１０６と、処理コンテキストパラメータ（例えば、適用されるべき聴覚処理スキームを示すような、聴覚装置によって使用される聴覚処理のコンテキストを示すパラメータ）に基づいて第一の聴覚処理スキームを選択すること１０８とを備える。処理コンテキストパラメータは、環境パラメータに対する音源の望ましさの観点で、ユーザの好みを反映してもよい。処理コンテキストパラメータを取得すること１０６は、環境パラメータに基づいて、例えば、聴覚装置のメモリユニットから、聴覚装置とペアリングされた付属装置から、聴覚装置に接続するように構成されたサーバから、処理コンテキストパラメータを受信および／または検索することを備えてもよい。処理コンテキストパラメータは、雑音除去スキーム識別子、および／または優先順位付けスキーム識別子、および／または聴覚装置によって出力されるべき１またはそれ以上の出力信号を示す１またはそれ以上の出力信号インジケータを備えてもよい。雑音除去スキーム識別子は、雑音除去スキームを一意に識別する識別子を意味してもよい。優先順位付けスキーム識別子は、優先順位付けスキームを一意に識別する識別子を意味してもよい。１またはそれ以上の出力インジケータは、例えばレシーバによって、聴覚装置によって出力される１またはそれ以上の出力信号（例えば、警報音、アラーム音、ストリームされた信号）を示す。
【００９１】
「第一」、「第二」、「第三」および「第四」、「一次」、「二次」、「三次」等の用語の使用は、特定の順序を意味するものではなく、個々の要素を識別するために含まれている。さらに、「第一」、「第二」、「第三」および「第四」、「一次」、「二次」、「三次」などの用語の使用は、順序または重要性を示すものではなく、むしろ「第一」、「第二」、「第三」および「第四」、「一次」、「二次」、「三次」などの用語は、ある要素を別の要素から区別するために使用される。「第一」、「第二」、「第三」および「第四」、「一次」、「二次」、「三次」等の用語は、本明細書および添付の書類において、単に標識の目的で使用されており、特定の空間的または時間的な順序を示すことを意図したものではないことに留意されたい。さらに、第一の要素の標識は、第二の要素の存在を意味するものではなく、その逆もまた同様である。
【００９２】
幾つかの特徴を示し、説明したが、それらは特許請求の範囲に記載された発明を限定することを意図したものではなく、特許請求の範囲に記載された発明の精神および範囲から逸脱することなく様々な変更および修正を行うことができることは当業者には明らかであろう。従って、明細書および図面は、限定的な意味ではなく、例示的な意味とみなされる。特許請求の範囲に記載された発明は、全ての代替形態、変形形態および均等形態を包含することを意図している。
【符号の説明】
【００９３】
２        ：聴覚装置
４        ：アンテナ
５        ：第一の無線入力信号
６        ：無線送受信機
７        ：送受信機入力信号
７Ａ      ：前処理された送受信機入力信号
８        ：第一のマイクロフォン
９        ：第一のマイクロフォン入力信号
９Ａ      ：前処理された第一のマイクロフォン入力信号
１０      ：第二のマイクロフォン
１１      ：第二のマイクロフォン入力信号
１１Ａ    ：前処理された第二のマイクロフォン入力信号
１２      ：前処理ユニット
１４      ：プロセッサ
１５      ：電気出力信号
１６      ：レシーバ
１８      ：メモリユニット
２０      ：インタフェース
１００    ：聴覚装置を動作させる方法
１０２    ：環境パラメータを取得することは、無線入力信号を受信することと、無線入力信号に基づいて環境パラメータを決定することを備えてもよい
１０２Ａ  ：入力信号を取得すること
１０２Ｂ  ：入力信号に基づいて環境パラメータを決定すること
１０４    ：環境パラメータが１またはそれ以上の第一の基準を満たすか否かを判定すること
１０４Ａ  ：環境パラメータが場所の基準を満たすか否かを判定すること
１０４ＡＡ：環境パラメータが聴覚処理データベース内に存在する地理的領域に含まれる場所を示すか否かを判定すること
１０４Ｂ  ：環境パラメータが時間の基準を満たすか否かを判定すること
１０６    ：処理コンテキストパラメータを取得すること
１０８    ：処理コンテキストパラメータに基づいて第一の聴覚処理スキームを選択すること
１１０    ：選択された第一の聴覚処理スキームを適用すること
１１２    ：１またはそれ以上の入力信号を取得すること
１１４    ：１またはそれ以上の入力信号の少なくとも一部を記録すること
１１４Ａ  ：１またはそれ以上の入力信号の少なくとも一部を記憶すること
１１５    ：記録することの後に、聴覚処理データベースに報告すること
１１６    ：１またはそれ以上の入力信号の少なくとも一部に基づいて雑音パラメータを決定すること
１１８    ：雑音パラメータに基づいて第二の聴覚処理スキームを選択すること
１２０    ：第二の聴覚処理スキームを入力信号に適用すること
１２２    ：環境パラメータに基づいて１またはそれ以上の入力信号を分類すること
【図１】
2020058022.tif 000003
【図２Ａ】
2020058022.tif 000004
【図２Ｂ】
2020058022.tif 000005
【外国語明細書】
2020058022000001.pdf
2020058022000002.pdf
2020058022000003.pdf
2020058022000004.pdf